(57)【特許請求の範囲】
【請求項１】
電子機器本体の前面パネルに表示部を有する開閉扉を備え、上記開閉扉は駆動機構により扉下部がパネル前方側に迫り出しながら下方へ開放動作し、上記開閉扉の開放位置では当該開閉扉と共に上記表示部をやや上向き傾斜状態にした電子機器において、
上記開閉扉の開閉動作は、扉上端部に備えた第１の支点軸が垂直なガイド軸受けに沿って移動する動作と、上記第１の支点軸の下方に備えた第２の支点軸が傾斜状のガイド軸受けに沿って移動する動作とによって行うと共に、
上記開閉扉の開閉動作は、２つの同心円状のカム面と上記カム面の間に位置する扇形ギアを有する駆動ギアと、上記駆動ギアに噛合するギア部及び当該ギア部に隣接して配置されると共に２つの上記カム面と選択的に係合し合う２つの湾曲凹面を有する連動ギアとにより駆動され、上記２つのカム面と上記２つの湾曲凹面が選択的に係合されることで上記連動ギアを回転不能にロックすることにより上記開閉扉を閉止位置及び開放位置においてロックされるように構成したことを特徴とする電子機器。
【請求項２】
請求項１記載の電子機器において、
上記連動ギアが固定された軸に固定された駆動アームが、上記第２の支点軸と係合しながら回動することにより、上記開閉扉を開閉動作させるように構成したことを特徴とする電子機器。
【請求項３】
請求項２記載の電子機器において、
上記駆動アームは連動軸の両端部に備えられ、上記開閉扉の両端部にある上記第２の支点軸をそれぞれ駆動するよう構成したことを特徴とする電子機器。
【請求項４】
請求項２記載の電子機器において、
上記連動ギアにはリミッタばねが挿入され、上記リミッタばねの両端部で上記軸に設けられた作動片を挟み付けるようにすることにより、上記開閉扉が閉止位置及び開放位置においてそれぞれの方向にばね付勢されるよう構成したことを特徴とする電子機器。
【請求項５】
請求項１記載の電子機器において、
上記開閉扉に扉自重と釣り合うばね部材を備えたことを特徴とする電子機器。
【請求項６】
請求項１記載の電子機器において、
上記開閉扉の閉止によって隠蔽される部分に操作キーを備えていることを特徴とする電子機器。
【請求項７】
請求項１記載の電子機器において、
上記第１の支点軸の固定手段として、支点軸の圧入軸部にバリ状の突起を形成し、上記圧入軸部を上記扉上部に形成した圧入溝内壁に食い込ませて圧入固定することを特徴とする電子機器。
【請求項８】
請求項１〜６のいずれかに記載の電子機器において、
デジタル・ビデオ・ディスク装置に適用したことを特徴とする電子機器。
【発明の詳細な説明】
【０００１】
【発明の属する技術分野】
本発明は、例えば、デジタル・ビデオ・ディスク装置（以下、ＤＶＤ装置という）等の再生装置に使用して好適な電子機器に関し、特に前面パネルに電動式に開閉動作するようにした扉機構に係わるものである。
【０００２】
【従来の技術】
従来、この種、ＤＶＤ装置等の電子機器においてオープン／クローズ・キーを操作することによって前面パネルからディスクが収容されるトレーが出し入れされるようにした機構が提案されている。このため、前面パネルには種々の操作キーや蛍光表示部が配置され、電子機器の操作は操作キーあるいはリモコン装置によって行われる。
【０００３】
一方、別の電子機器において、オープン／クローズ・キーを操作することによって扉が前面パネルに対して下方へ垂直に開放し、この動作に連動してトレーが引き出されるようにした機構が提案されている。この場合も電子機器の操作は扉以外の前面パネルに配置した操作キーやリモコン装置によって行われる。
【０００４】
【発明が解決しようとする課題】
ところで、上述した前者の電子機器では、通常頻繁に操作される操作キーと、それ以外の操作キーとが前面パネルに配置されているため、操作が煩雑化し、誤操作の原因となる。
【０００５】
また、後者の電子機器では、扉は引っ張りばねにより閉止方向（上方）へ付勢されているので、扉の自重が大きくなるとその分引っ張りばねも大きなばね力が必要となり、この結果、扉の開放に大きな駆動力が必要となることとなる。
【０００６】
さらに、後者の電子機器では、扉の駆動はシャーシ側に設けたアームで扉の中央部を駆動しているため、組み込み状態では駆動部分が内部に隠れた状態となり、保守，点検や製造時に手動で動作させることが困難であった。
【０００７】
本発明は、上述したような課題を解消するためになされたもので、蛍光表示部及び使用頻度の高い操作キーを備えた扉が扉下部をパネル前方側に迫り出しながら下方へ開放動作し、使用頻度の低い操作キーが扉の閉止動作によって隠蔽されるようにした開閉扉を有する電子機器を得ることを目的とする。
【０００８】
【課題を解決するための手段】
上述の目的を達成するため、本発明による電子機器は、電子機器本体の前面パネルに表示部を有する開閉扉を備え、開閉扉は駆動機構により扉下部がパネル前方側に迫り出しながら下方へ開放動作し、開閉扉の開放位置ではその開閉扉と共に表示部をやや上向き傾斜状態にした電子機器において、開閉扉の開閉動作は、扉上端部に備えた第１の支点軸が垂直なガイド軸受けに沿って移動する動作と、第１の支点軸の下方に備えた第２の支点軸が傾斜状のガイド軸受けに沿って移動する動作とによって行うと共に、開閉扉の開閉動作は、２つの同心円状のカム面とこのカム面の間に位置する扇形ギアを有する駆動ギアと、駆動ギアに噛合するギア部及びこのギア部に隣接して配置されると共に２つのカム面と選択的に係合し合う２つの湾曲凹面を有する連動ギアとにより駆動され、２つのカム面と２つの湾曲凹面が選択的に係合されることで連動ギアを回転不能にロックすることにより開閉扉を閉止位置及び開放位置においてロックされるように構成したものである。
【０００９】
このように構成したことで、開閉扉の開放状態において表示部がユーザーの視認し易い角度となり、操作性の向上と共に前面パネルのデザイン性を高めることができる。また、開閉扉の下部がパネル前方側に迫り出しながら下方へ開放する動作を簡単な構成で確実に行うことができると共に、閉止状態及び開放状態の開閉扉を無理に開く方向あるいは閉じる方向に外力を加えても動くことはない。
【００１０】
また、連動ギアが固定された軸に固定された駆動アームが、第２の支点軸と係合しながら回動することにより、開閉扉を開閉動作させるように構成した。
【００１１】
また、駆動アームは連動軸の両端部に備えられ、開閉扉の両端部にある第２の支点軸をそれぞれ駆動するよう構成した。
【００１２】
また、連動ギアにはリミッタばねが挿入され、リミッタばねの両端部で軸に設けられた作動片を挟み付けるようにすることにより、開閉扉が閉止位置及び開放位置においてそれぞれの方向にばね付勢されるよう構成した。これによって、閉止状態及び開放状態の開閉扉のガタ付きを回避することができる。
【００１３】
また、開閉扉に扉自重と釣り合うばね部材を備えた。これによって、開閉動作する開閉扉の自重とばね部材のばね力とが常に釣り合い、小さな駆動力で扉の開閉動作を行うことができる。
【００１４】
また、開閉扉の閉止によって隠蔽される部分に操作キーを備えるようにした。これによって、開閉扉の閉止状態では使用頻度の高い操作キーのみが外観上に存在するだけであるため、操作が煩雑になることもなく誤操作を防止することができる。
【００１５】
また、第１の支点軸の固定手段として、支点軸の圧入軸部にバリ状の突起を形成し、圧入軸部を扉上部に形成した圧入溝内壁に食い込ませて圧入固定するようにした。これによって、扉側の圧入溝に成形上の寸法交差が発生するような場合であっても支点軸を作業性よく確実に取り付けることができる。
【００１６】
【発明の実施の形態】
以下、本発明による電子機器をＤＶＤ装置の開閉扉に適用した実施例を例にとって図面を参照して説明する。
【００１７】
図１はＤＶＤ装置の全体の外観斜視図である。符号１が装置本体部、２が前面パネルであり、前面パネル２にはほぼ全幅に亘って開閉扉３が配置されている。図１では開閉扉３は開放状態を示し、開放扉３の開放動作に連動してＤＶＤ又はＣＤ等のディスクが収容される仮想線で示したトレー４が前面パネル２の一側部から電動式に引き出されるようになっている。
【００１８】
開閉扉３には蛍光表示部５及びＤＶＤ装置の操作上、使用頻度の高い操作キー６が配置されている。この操作キー６は一例としてオン状態においてキー自体が発光する方式である。また、符号７は前面パネル２に配置され開閉扉３の開閉動作に連動してトレー４を出し入れ操作するためのオープン／クローズ・キー、８はトレー４が収納された状態で開閉扉３のみをオープン／クローズさせるスイッチ、９は電源キーである。尚、開閉扉３の内面側の前面パネルには使用頻度の低い操作キー群１０が配置され、開閉扉３の開放状態において操作可能であるが、開閉扉３の閉止状態においては隠蔽されるようになっている。
【００１９】
さて、上述した開閉扉３は扉駆動機構によって特殊な開放軌跡動作が行われる。すなわち、開閉扉３は前面パネル２に対して扉下部がパネル前方側へ迫り出しながら下方へ開放動作し、開閉扉３の開放完了位置では当該扉と共に蛍光表示部５がやや上向き傾斜状態になるようにされている。
【００２０】
図２に開閉扉３が構成される扉機構１１の構成部材を分離した状態の斜視図を示す。扉機構１１は上述した前面パネル２及び開閉扉３とパネル本体部１２から構成されている。
【００２１】
前面パネル２はアルミ等の金属材の射出成形材から構成され、開閉扉３の前面側に配置され、中央部に開閉扉３が対応する開口部１３を有する。開閉扉３はアルミ等の金属材の押出成形材から構成され、その裏面に蛍光表示部５や操作キー６の配線基板（図示せず）が組付けられている。また、パネル本体部１２は開閉扉３の後方側に配置され、このパネル本体部１２に左右一対のブロック部材１４，１５を介して開閉扉３が支承される。尚、両ブロック部材１４，１５はそれぞれの上下両端の支持部１４ａ，１４ｂ及び１５ａ，１５ｂがパネル本体部１２のそれぞれの取付部１２ａ，１２ｂにねじ固定される。
【００２２】
一方、開閉扉３の上端部には左右両側面に突出するようにして第１の支点軸１６，１６が取り付けられている。この第１の支点軸１６の取り付け構造については後述する。
【００２３】
この第１の支点軸１６，１６の下方にアーム部材１７（図３参照）を介して第２の支点軸１８，１８（図２では一方のみが見えている）が当該支点軸１６と並行に支持されている。
【００２４】
第１及び第２の支点軸１６，１８は図３に拡大して示した一方のブロック部材１４について説明すると、第１の支点軸１６はブロック部材１４に形成した垂直ガイド孔１９に挿入され、第２の支点軸１８は同じくブロック部材１４に形成した傾斜カム溝２０に係合される。さらに詳しく説明すると、ブロック部材１４内にはスライダー２１が組み込まれる。スライダー２１はその上部に延出した受け部２２が垂直ガイド孔１９に沿って上下に移動可能にされ、引っ張りコイルばね２３により引き上げ方向にばね付勢される。そして、スライダー２１の受け部２２上に第１の支点軸１６が乗架する。
【００２５】
次に、開閉扉３の駆動機構を図３に示した分離状態の斜視図及び図４に示した組み立て状態を参照して説明する。
【００２６】
ブロック部材１４から一体化されて延びるフレーム１４ｃに形成した軸受部２４には全周にギアを有する駆動ギア２５が軸ピン２６によって回転可能に支持されている。この駆動ギア２５は前面側にほぼ１８０°の位相で一体成形された２つの同心円状のカム面２７ａ，２７ｂと、両カム面２７ａ，２７ｂの間に位置する前面側に一体成形された扇形ギア２８とを有する。
【００２７】
一方、ブロック部材１４の軸受部２９には連動軸３０の端部に備えた受け軸３１が支持される。この受け軸３１は連動軸３０の両端部に備え、図２に示したブロック部材１４の軸受部２９にも支持される。そして、両受け軸３１，３１の端部に備えた二股状の駆動アーム３０ａ，３０ａを上述した第２の支点軸１８，１８に係合させている。尚、軸受部２９は半円状の軸受け形状であり、この軸受部２９に連動軸３０の受け軸３１を側方から挿入したあと、開口部を図示しない軸受け板で押さえるようにされる。
【００２８】
さて、一方の受け軸３１の軸端３１ａには連動ギア３２が回動可能に支持され、軸ピン３３により抜け止めされる。連動ギア３２は、部分ギアからなるギア部３２ａを有しており、このギア部３２ａと隣接する円周部には上述した駆動ギア２５のカム面２７ａ，２７ｂと係合し合う湾曲凹面３４ａ，３４ｂが形成されている。連動ギア３２のギア部３２ａと反対側に位置する周面は凹面状に切り欠かれた凹欠部３５として形成されている。
【００２９】
また、連動ギア３２内にはリミッタばね３６が挿入されている。このリミッタばね３６のばね端部３６ａ，３６ｂは凹欠部３５側に突出させ、両ばね端部３６ａ，３６ｂで上述した受け軸３１から凹欠部３５上に延出した作動片３７を挟み付けるようにしている。つまり、連動ギア３２はリミッタばね３６を介在して受け軸３１と一体に回転するようになっている。
【００３０】
符号３８が駆動ギア２５を駆動するためのモータ機構であり、モータ３９と減速ギア群４０、４１、４２がシャーシ４３に支持されている。そして、減速ギア４２の出力ギア４２ａが駆動ギア２５に噛み合わされる。また、減速ギア４２の中心軸端４４がブロック部材１４に形成した軸受部４５に緩衝ゴム材４６を介して軸受けされる。モータ機構３８のシャーシ４３はパネル本体部１２（図２参照）に緩衝ゴム材４７を介してねじ固定される。
【００３１】
尚、符号４８はブロック部材１４に支持されたセンサー基板であり、この基板４８に取り付けられたセンサー４９，５０により駆動ギア２５の回転位置を検出するようにしている。
【００３２】
次に、図４〜図８を参照して開閉扉３の開閉動作について説明する。
図４は開閉扉３が閉止している動作位置である。この状態では駆動ギア２５の一方のカム面２７ａに連動ギア３２の湾曲凹面３４ａが面係合されていることで、連動ギア３２が回転不能にロックされている状態となる。また、同時に駆動ギア２５が反時計回り方向への回動付勢力が生じているので、連動ギア３２はカム面２７ａによって時計回り方向へ所定角度範囲回動付勢されていることで、リミッタばね３６がストロークＳ分、ばね力が発生する方向へ押し開かれる。これによって、開閉扉３は閉止位置で固定されるロック動作機能と共に、リミッタばね３６のばね力により扉閉止方向へ付勢されているリミッタ動作機能とが生じている。すなわち、開閉扉３の閉止状態においては、扉を無理に開放しようとする外力を加えてもロック動作機能によって動くことはなく、またリミッタ動作機能によって閉止状態の開閉扉３がガタ付くことなく保持される。
【００３３】
かくして、図示しないモータ機構３８によって駆動ギア２５が時計回り方向へ回動されると、まず、駆動ギア２５のカム面２７ａによる連動ギア３２の回動付勢力が開放され、図５に示すようにリミッタばね３６のばね力が解除され開閉扉３の閉止方向への付勢力が解放される。さらに、駆動ギア２５が時計回り方向へ回動されることで、扇形ギア２８が連動ギア３２のギア部分に噛み合い、連動ギア３２が反時計回り方向へ回動し始める。この連動ギア３２の回動に連動してリミッタばね３６を介して駆動アーム３０ａが回動し開閉扉３の第２の支点軸１８が移動動作される。この第２の支点軸１８は傾斜カム溝２０に沿って移動されるため、図６に示すように開閉扉３はまず、第１の支点軸１６を中心として扉下部側が前面パネル２の前方側に迫り出す。この際、開閉扉３はその左右両側部に設けた２つの第２の支点軸１８が連動軸３０の２つの連動アーム３０ａ，３０ａによって同位相で回動されるようにしているため、開閉扉３の幅長さが長い場合であっても円滑に開放動作させることができる。
【００３４】
さらに、連動ギア３２の回転により第２の支点軸１８が傾斜カム溝２０に沿って下方へ移動し始める動作に連動して第１の支点軸１６が垂直ガイド孔１９に沿って引っ張りコイルばね２３のばね力に抗してスライダー２１を押し下げながら移動し、これによって、図７に示すように開閉扉３は下方へ開放する。すなわち、開閉扉３の一連の開放動作は扉下部側が前方側へ迫り出した姿勢を保持しながら扉全体が下方へ移動する動作が行なわれる。そして、開放完了位置では扉と共に蛍光表示部がやや上向き傾斜状態となる。このことによって、開閉扉３の蛍光表示部５がユーザーの視認し易い角度となり操作性を向上することができる。
【００３５】
また、開閉扉３の開放状態では引っ張りコイルばね２３にばね力が生じた状態となり、当該ばね２３に生じるばね力と開閉扉３の自重とが釣り合うようにばね係数を設定している。このように構成することで開閉扉３の開放動作を小さな駆動力で行うことができるので、モータ３９は小型のもので済む。
【００３６】
開閉扉３の開放が完了された図７の動作状態では駆動ギア２５の扇形ギア２８は連動ギア３２から外れると同時に、駆動ギア２５のカム面２７ｂが連動ギア３２の湾曲凹面３４ｂに係合し始める。
【００３７】
この図７の動作状態から駆動ギア２５がさらに回動することで、図８に示すようにカム面２７ｂが連動ギア３２の湾曲凹面３４ｂに完全に係合して連動ギア３２が回転不能にロックされる状態となる。また、同時に駆動ギア２５が時計回り方向へ回動付勢力が生じ、連動ギア３２はカム面２７ｂによって反時計回り方向へ所定角度範囲回動付勢されるので、リミッタばね３６がストロークＳ分、ばね力が発生する方向へ押し開かれる。これによって、開閉扉３は開放位置で固定されるロック動作機能と共に、リミッタばね３６のばね力により扉開放方向へ付勢されているリミッタ動作機能とが生じる。すなわち、開閉扉３の開放状態において、扉を無理に閉止しようとする外力を加えてもロック動作機能によって動くことはなく、またリミッタ動作機能によって開放状態の開閉扉３がガタ付くことなく保持されることになる。
【００３８】
尚、駆動ギア２５が図８に示した位置まで回動した時点で、その回動位置がセンサー４９によって検出されモータ３９は停止される。
【００３９】
開閉扉３の閉止動作については上述した動作の逆の動作が行われるもので、すなわち、駆動ギア２５が反時計回り方向に回動することで、まず、リミッタばね３６が解除されたあと、開閉扉３が上動して最終的に図４に示すように閉止されリミッタばね３６が機能する。この際、開閉扉３はその自重に逆らって上動するが、引っ張りコイルばね２３のばね力が開閉扉３の自重と釣り合っているので、開閉扉３の閉止動作も小さな駆動力で済むことになる。
【００４０】
また、駆動ギア２５が図４に示した位置まで回動した時点で、その回動位置がセンサー５０によって検出されモータ３９は停止される。
【００４１】
このように上述した開閉扉３の開放動作は扉下部が前面パネル２に対して迫り出しながら下方へ開放する方式であり、しかも、開閉扉３の開放完了位置において扉がやや上向き傾斜状態となるため、蛍光表示部５や操作キー６がユーザーの視認し易い角度となり操作性を向上することができると共に、開閉扉３の駆動機構の構成も極めてシンプルとなる。特に、開閉扉３の開閉動作も小さな駆動力で可能となるため、扉の開放時において扉とテーブル等の間に指等が挟まれたり、あるいは扉の閉止時において扉とパネル２の間に指等が挟まれたりした場合でも怪我等が生じることもなく安全生の高い扉開閉機構となる。
【００４２】
また、扉の駆動機構が本体部１内において露出する位置に配置することができるので、保守，点検や製造時において駆動機構を手動で操作して開閉扉３の開閉動作を行うことができる。
【００４３】
ここで、前述に説明した開閉扉３の第１の支点軸１６の取り付けの詳細を図９及び図１０について説明する。開閉扉３はアルミ等の金属材の押出成形されたフレームから構成され、このフレームの側端部に蟻溝状の圧入溝５１が形成されている。第１の支点軸１６もアルミ等の金属材から構成され、これと一体にダイキャスト成形された軸支持部５２に圧入溝５１内にほぼ形状一致して圧入される圧入軸部５３が設けられている。そして、この圧入軸部５３の４つのコーナー部分にバリ状の短い突起５３ａが形成されている。
【００４４】
すなわち、第１の支点軸１６の圧入軸部５３を圧入溝５１内に圧入し挿入することで、圧入軸部５３の突起５３ａと圧入溝５１の内壁との相互で食い込み合い固く結合させることができる。このような結合構成を採用することによって、圧入溝５１の形状の寸法精度が異なる場合であっても、二次加工を必要とすることなく支点軸１６を作業性よく取り付けを行うことかできる。
【００４５】
本発明は、上述しかつ図面に示した実施例に限定されるものでなく、その要旨を逸脱しない範囲内で種々の変形実施が可能である。
【００４６】
実施例ではＤＶＤ装置の開閉扉に適用した場合について説明したが、その他、ＣＤ（コンパクトディスク）やＬＤ（レーザーディスク）等の再生装置、あるいはテープカセットが適用されるＶＴＲ装置等の電子機器の開閉扉に広く適用可能である。
【００４７】
【発明の効果】
以上説明したように本発明の電子機器は、電子機器本体の前面パネルに表示部を有する開閉扉を備え、開閉扉は駆動機構により扉下部がパネル前方側に迫り出しながら下方へ開放動作し、開閉扉の開放位置では当該扉と共に表示部がやや上向き傾斜状態になるようにしたことで、開閉扉の開放状態において表示部がユーザーの視認し易い角度となり、操作性の向上と共に前面パネルのデザイン性を高めることができる。
【００４８】
また、開閉扉の開閉動作は扉上端部に備えた第１の支点軸が垂直なガイド軸受けに沿って移動する動作と、第１の支点軸の下方に備えた第２の支点軸が傾斜状のガイド軸受けに沿って移動する動作とによって行えるようにしたので、扉下部がパネル前方側に迫り出しながら下方へ開放する動作をシンプルな構成で確実に行うことができる。
【００４９】
また、開閉扉の開閉動作は、２つの同心円状のカム面とこのカム面の間に位置する扇形ギアを有する駆動ギアと、駆動ギアに噛合するギア部及びこのギア部に隣接して配置されると共に２つのカム面と選択的に係合し合う２つの湾曲凹面を有する連動ギアとにより駆動され、２つのカム面と２つの湾曲凹面が選択的に係合されることで連動ギアを回転不能にロックすることにより開閉扉を閉止位置及び開放位置においてロックされるように構成したので、閉止状態及び開放状態の開閉扉を無理に開く方向あるいは閉じる方向に外力を加えても扉の動きを防止することができる。
【００５０】
また、開閉扉が閉止位置及び開放位置においてそれぞれの方向にばね付勢するリミッタ機構を備え、そのリミッタ機構は、連動ギアにリミッタばねを挿入し、そのリミッタばねの両端部で軸に設けられた作動片を挟み付けるように構成したので、閉止状態及び開放状態の開閉扉のガタ付きを防止し信頼性の高い開閉扉となる。
【００５１】
また、開閉扉に扉自重と釣り合うばね部材を備えたことによって、小さな駆動力で扉の開閉動作を行うことができる。
【００５２】
また、開閉扉の閉止によって隠蔽される部分に操作キーを設けるようにしたので、開閉扉の閉止状態では使用頻度の高い操作キーのみが外観上に存在するだけであるため、操作が煩雑になることもなく誤操作を防止することができる。
【００５３】
また、第１の支点軸の固定手段として、支点軸の圧入軸部にバリ状の突起を形成し、圧入軸部を扉上部に形成した圧入溝内壁に食い込ませて圧入固定するようにしたので、扉側の圧入溝に成形上の寸法精度が異なる場合であっても二次加工を必要とすることなく支点軸を作業性よく確実に取り付けることができる。
【図面の簡単な説明】
【図１】本発明による電子機器における前面パネルの扉開放状態の外観斜視図である。
【図２】同じく扉機構の分離状態の斜視図である。
【図３】開閉扉の駆動機構の分離状態の斜視図である。
【図４】開閉扉の閉止位置の動作図である。
【図５】同じく開閉扉の閉止時におけるリミッタばね開放状態の動作図である。
【図６】開閉扉の開放始めの動作図である。
【図７】開閉扉の開放時におけるリミッタばね開放状態の動作図である。
【図８】開閉扉の開放位置の動作図である。
【図９】開閉扉と第１の支点軸との分離状態の斜視図である。
【図１０】第１の支点軸の圧入支持状態の側面図である。
【符号の説明】
２  前面パネル、３  開閉扉、５  蛍光表示部、６  操作キー、１１  扉機構、１２  パネル本体部、１４，１５  ブロック部材、１６  第１の支点軸、１８第２の支点軸、１９  垂直ガイド孔、２０  傾斜カム溝、２１  スライダー、２３  引っ張りコイルばね、２５  駆動ギア、２７ａ，２７ｂ  カム面、２８  扇形ギア、３０  連動軸、３２  連動ギア、３４ａ，３４ｂ  湾曲凹面、３６  リミッタばね、３７  作動片、３８  モータ機構、３９  モータ、５１  圧入溝、５３  圧入軸部、５３ａ  バリ状の突起
【図１】
0003718933.tif 000002
【図２】
0003718933.tif 000003
【図３】
0003718933.tif 000004
【図４】
0003718933.tif 000005
【図５】
0003718933.tif 000006
【図６】
0003718933.tif 000007
【図７】
0003718933.tif 000008
【図８】
0003718933.tif 000009
【図９】
0003718933.tif 000010
【図１０】
0003718933.tif 000011